(57)【特許請求の範囲】
【請求項１】
筆記具の先端部を収容する内キャップと、この内キャップの外側に配置される外キャップから構成され、
該内キャップは、外周壁を、筆記具用キャップの頂部側より、外径の一部を小さくしてなる径小部、該径小部よりも径大であって開口縁へ連なる径大部、及び内キャップの略中間位置において径小部と径大部との間で形成されるテーパー状の段部よりなるものとし、 該外キャップは、その内周壁を、前記内キャップの径小部に対応して内径を径小とする縮径部、内キャップの径大部に対応して内径を径大とする拡径部、及び内キャップの段部よりも筆記具用キャップの頂部側に位置して、前記縮径部と拡径部とを連絡する径変部よりなるものとし、
該縮径部の内周壁と内キャップの径大部の外周壁とを互いに面一とするものであって、  上記内キャップと、外キャップとで、筆記具用キャップの頂部から、内キャップの外周壁の径小部と外キャップの内周壁の縮径部との間、及び該径小部より径大である内キャップの径大部と該径大部に対応して内径を径大とする外キャップの内周壁の拡径部との間とを、上記内キャップのテーパー状の段部と外キャップの径変部との間を通じて連通する通気孔を形成して、
該内キャップと外キャップとは、内キャップの略中間位置に設ける段部の頂部側に位置する内キャップ外周壁と外キャップの内周壁の縮径部との間で一体に形成する複数の縦リブによって連結、保持してなる筆記具用キャップ。
【発明の詳細な説明】
【０００１】
【発明の属する技術分野】
この発明は、幼児等が誤飲した場合に、一定の呼吸を確保することができるように空気の流通を可能にする通気孔を有する筆記具用キャップの構造に関する。
【０００２】
【従来の技術】
従来、幼児等が誤飲した場合、気管に詰まって窒息等を起こさず、一定の呼吸を確保することができるように、空気の流通を可能にする通気孔を有するいわゆる安全キャップが提案されており、例えばそのような通気孔を有する筆記具等のキャップのうち、特に筆先部の乾燥を防止する必要のある筆記具のキャップとして、その内孔に複数のリブで接続されるインナーキャップを形成し、キャップの内周壁とインナーキャップの外周との間で通気孔を形成すると共に、このインナーキャップの入口内周壁から上記リブ間に位置するインナーキャップの外周に貫通する横孔を設けることにより、インナーキャップの開口端縁近傍から横孔を経て上記キャップ後端の通気孔と連通するものが提案されている（実開平３−５７０８８号，ドイツ特許第３８２１１９５号）。
【０００３】
【発明が解決しようとする課題】
しかしながら、上記従来の筆記具のキャップ、実開平３−５７０８８号とドイツ特許第３８２１１９５号においては、実際にサインペン、マーカー等の筆記具の先端を密閉、収容して、その先端部の乾燥を防止するインナーキャップと、このインナーキャップとキャップとの接続は、インナーキャップの縦方向に配置される複数のリブを介して行われるものであるが、このインナーキャップの縦方向に配置される複数のリブは、インナーキャップの開口縁近傍とクリップを有することとなるキャップとを接続するものであるから、この筆記具等のキャップを一体に成形しようとする場合には、金型構成上からインナーキャップを形成する金型部品の先端部分より複数のリブを配しなければならないので、キャップの内周壁を成形する金型部品が長くなり、十分な金型強度を確保することができないという欠点がある。
【０００４】
また、上記インナーキャップと、このインナーキャップとキャップとの接続を行う、インナーキャップの縦方向に配置される複数のリブは、インナーキャップの開口縁近傍とキャップとを接続するものであることから、筆記具の先端部をインナーキャップ内に収容しようとする場合には、インナーキャップの開口縁が固定されてしまって挿入する筆記具先端と正確な心合せが必要であり、柔軟性に欠けるものとなるため、筆記具の先端部との心合せが不完全であると、筆記具の先端部がインナーキャップの開口縁から位置がずれてしまい、容易かつ確実にインナーキャップ内に挿嵌されるものとならず、非常に煩わしさを使用者に与え、また柔軟なマーカーの先端部等に破損を与える恐れがあるという問題もある。
【０００５】
そこで、この発明は上記従来のものの持つ欠点を改善するものであり、簡単な構造により、筆記具用キャップを一体成形する場合に必要とされる金型部品の強度を十分に確保しつつ、キャップの装着時における筆記具先端部に対する装着の自由度を拡げ、製造コストの低減を図ろうとするものである。
【０００６】
【課題を解決するための手段】
そのために、筆記具の先端部を収容する内キャップと、この内キャップの外側に配置される外キャップから構成され、
該内キャップは、外周壁を、筆記具用キャップの頂部側より、外径の一部を小さくしてなる径小部、該径小部よりも径大であって開口縁へ連なる径大部、及び内キャップの略中間位置において径小部と径大部との間で形成されるテーパー状の段部よりなるものとし、 該外キャップは、その内周壁を、前記内キャップの径小部に対応して内径を径小とする縮径部、内キャップの径大部に対応して内径を径大とする拡径部、及び内キャップの段部よりも筆記具用キャップの頂部側に位置して、前記縮径部と拡径部とを連絡する径変部よりなるものとし、
該縮径部の内周壁と内キャップの径大部の外周壁とを互いに面一とするものであって、  上記内キャップと、外キャップとで、筆記具用キャップの頂部から、内キャップの外周壁の径小部と外キャップの内周壁の縮径部との間、及び該径小部より径大である内キャップの径大部と該径大部に対応して内径を径大とする外キャップの内周壁の拡径部との間とを、上記内キャップのテーパー状の段部と外キャップの径変部との間を通じて連通する通気孔を形成して、
該内キャップと外キャップとは、内キャップの略中間位置に設ける段部の頂部側に位置する内キャップ外周壁と外キャップの内周壁の縮径部との間で一体に形成する複数の縦リブによって連結、保持してなるものである。
【０００７】
【発明の実施の形態】
この発明の実施例である筆記具用キャップにおいては、筆記具の先端部を収容する内キャップと外キャップとは、内キャップの略中間位置に設ける段部の頂部側に位置する内キャップ外周壁と外キャップの内周壁の縮径部との間で一体に形成する複数の縦リブによって連結、保持してなるように一体に成形するものであるから、この筆記具用キャップを一体に成形する金型部品、特に外キャップ内周壁を成形する一方の金型部品において、その長さを短くすることができるので、この金型部品の金型強度を著しく向上させることができる。
【０００８】
更に、内キャップと外キャップとを連結、保持してなる複数の縦リブは、内キャップの略中間位置に設ける段部の頂部側に位置する内キャップ外周壁と外キャップ内周壁の縮径部との間において形成されるので、内キャップ自体の開口縁においては、上記縦リブを中心とした左右方向への揺動が自在となるから、筆記具軸と内キャップが完全に心合せされなくて、筆記具の先端部の位置が多少斜めになっていても、内キャップ自体がその筆記具の先端部の斜向に対応して適宜揺動し、筆記具の先端部を内キャップ内に誘導し、密閉性を持って収容するものとなるので、その筆記具用キャップの装着の自由度を拡げることができるものである。
【０００９】
【実施例】
この発明を図に示す実施例により更に説明する。（１）は、この発明の実施例である筆記具用キャップであり、この筆記具用キャップ（１）は、筆記具の先端部を密閉して収容する内キャップ（４）と、この内キャップ（４）の外側に配置され、クリップ（３）を有する外キャップ（２）から構成される。なお、この実施例においてはクリップ（３）を具えるが、クリップ（３）をもたないものであってもよいものである。
【００１０】
そして、この発明の実施例である筆記具用キャップ（１）においては、
該内キャップ（４）は、外周壁を、筆記具用キャップ（１）の頂部側より、外径の一部を小さくしてなる径小部（４’）、該径小部（４’）よりも径大であって開口縁（１１）へ連なる径大部（４”）、及び内キャップ（４）の略中間位置において径小部（４’）と径大部（４”）との間で形成されるテーパー状の段部（５）よりなるものとし、
該外キャップ（２）は、その内周壁（７）を、前記内キャップ（４）の径小部（４’）に対応して内径を径小とする縮径部（７”）、内キャップ（４）の径大部（４”）に対応して内径を径大とする拡径部（２’）、及び内キャップ（２）の段部（５）よりも筆記具用キャップ（１）の頂部側に位置して、前記縮径部（７”）と拡径部（２’）とを連絡する径変部（２”）よりなるものとし、
該縮径部（７”）の内周壁（７）と内キャップ（４）の径大部（４”）の外周壁（８）とを互いに面一とするものであって、
上記内キャップ（４）と、外キャップ（２）とで、筆記具用キャップ（１）の頂部（６）から、内キャップ（４）の外周壁（８）の径小部（４’）と外キャップ（２）の内周壁（７）の縮径部（７”）との間、及び該径小部（４’）より径大である内キャップ（４）の径大部（４”）と該径大部（４”）に対応して内径を径大とする外キャップ（２）の内周壁（７）の拡径部（２’）との間とを、上記内キャップ（４）のテーパー状の段部（５）と外キャップ（２）の径変部（２２）との間を通じて連通する通気孔（９）を形成して、  該内キャップ（４）と外キャップ（２）とは、内キャップ（４）の略中間位置に設ける段部（５）の頂部（６）側に位置する内キャップ（４）外周壁（８）と外キャップ（２）の内周壁（７）の縮径部（７”）との間で一体に形成する複数の縦リブ（１０）によって連結、保持してなるものである。
【００１１】
この発明の実施例は以上の構成を具えるから、筆記具の先端部を密閉して収容する内キャップ（４）と外キャップ（２）とは、内キャップ（４）の略中間位置において設ける段部（５）の頂部（６）側に位置する内キャップ外周壁（８）と外キャップ（２）の内周壁（７）の縮径部（７”）との間で一体に形成する複数の縦リブ（１０）によって連結、保持してなるものであるから、この筆記具用キャップ（１）を一体に成形する金型部品（この金型はキャップ内外から突合せて型を形成する。）、特に空気の流通を確保する通気孔（９）を形成する外キャップ内周壁（７’）を成形する金型部品において、その長さを短くすることができることとなるので、この金型部品の金型強度を著しく向上させることができる。ここで、キャップ内外から突合わせに金型を組合せ、突合せ部分に内キャップ（４）と外キャップ（２）を接合する部分を構成するから通気孔（９）に段部（５）を設ける必要がある。
【００１２】
更に、筆記具用キャップ（１）を構成し、筆記具の先端部を密閉性を持って収容する内キャップ（４）と外キャップ（２）とを連結、保持してなる複数の縦リブ（１０）は、内キャップ（４）の略中間位置に設ける段部（５）の頂部側に位置する内キャップ（４）の外周壁（８）と外キャップ（２）の内周壁（７）の縮径部（７”）との間において形成されるので、内キャップ（４）の開口縁（１１）においては、上記縦リブ（１０）を中心とした上下左右方向への揺動が自在となるから、筆記具の先端部と内キャップ（４）の心合せが若干外れても内キャップ（４）自体がその筆記具の先端部のずれに対応して適宜揺動し、筆記具の先端部を内キャップ（４）内に誘導し、内キャップ（４）内に密閉して収容するものとなるので、その筆記具用キャップ（１）の装着の自由度を拡げることができるものである。
【００１３】
【発明の効果】
以上のとおり、この発明は構成されるから、一体成形に際しての一方の金型部品の長さを小さくできるので金型強度及びその耐久性を向上させることができると共に、内キャップを外キャップに対して連結、保持する縦リブが内キャップの略中間位置に設けられていることから、内キャップ自由端が左右方向に対して揺動自在となり、筆記具の先端部と内キャップの心合せに若干の偏りがあっても適宜内キャップが筆記具の先端部の方向に応じて揺動し、確実に内キャップ内に誘導するものとなるため、筆記具用キャップの装着の自由度を拡げ、製品コストを低減できるものとなる優れた効果を有するものである。
【図面の簡単な説明】
【図１】  この発明の実施例である筆記具用キャップの正面図である。
【図２】  図１における筆記具用キャップの拡大縦断面図である。
【図３】  図１における筆記具用キャップの上方よりの平面図である。
【図４】  図３における筆記具用キャップのＡ−Ａ横断面図である。
【符号の説明】
１  筆記具用キャップ
２  外キャップ
２’ 拡径部
２” 径変部
３  クリップ
４  内キャップ
４’ 径小部
４” 径大部
５  段部
６  （筆記具用キャップの）頂部
７、７’  （外キャップの）内周壁
７” 縮径部
８  （内キャップの）外周壁
９  通気孔
１０  縦リブ
１１  （内キャップの）開口縁
【図１】
0003932491.tif 000002
【図２】
0003932491.tif 000003
【図３】
0003932491.tif 000004
【図４】
0003932491.tif 000005